(57)【要約】【課題】簡単且つ安価な構成で高さ調整を可能とした枕を提供する。【解決手段】略三角柱状の外観形体をもつ枕本体１の三つの稜線部をその軸方向視において弧状面に形成して受部１１，１２，１３とするとともに、該各受部１１，１２，１３の、該各受部１１，１２，１３がそれぞれ対向する各平面部１４，１５，１６からの高さを相互に異ならせる。係る構成とすることで、枕本体１を軸芯回りに回転させて、床面への当接部位を各平面部１４，１５，１６の間で変化させることで、最上部位置が各受部１１，１２，１３の間で変化し、これにより枕高さが三段階に変化し、理想頚椎角度が得られる枕高さに容易に設定することができ、その結果、この枕Ｚの使用により適正な気道が確保され、鼾をかかない安楽な休息感あるいは睡眠感が得られ、延いては健康促進が図られる。【選択図】図１
2010167237.tif 000002
【特許請求の範囲】
【請求項１】
略三角柱状の外観形体をもつ枕本体（１）を備えて構成される枕であって、
上記枕本体（１）が、その三つの稜線部をその軸方向視において弧状面に形成して受部（１１），（１２），（１３）とするとともに、上記各受部（１１），（１２），（１３）の、該各受部（１１），（１２），（１３）がそれぞれ対向する各平面部（１４），（１５），（１６）からの高さを相互に異ならせた構成であることを特徴とする枕。
【請求項２】
請求項１において、
上記枕本体（１）が弾性材で一体的に形成されていることを特徴とする枕。
【請求項３】
請求項１において、
上記枕本体（１）が通気性を有する面形成材（９）でなる中空構造であることを特徴とする枕。
【請求項４】
請求項３において、
上記枕本体（１）の中空部（２）内に、炭材又は／及び芳香材（３）の充填体（５）が装脱可能に収納されたことを特徴とする枕。
【請求項５】
請求項１、３又は４において、
上記枕本体（１）の周面部（１ａ）にクッション材（７）を設けたことを特徴とする枕。
【発明の詳細な説明】
【技術分野】
【０００１】  本願発明は、枕高さを容易に変更可能とし、特に鼾防止に有効な枕に関するものである。
【背景技術】
【０００２】  人が睡眠をとる際、枕の高さが適正であるかどうかが重要となる。即ち、人体の最も安定した姿勢は立ち上がった起立姿勢であり、この起立姿勢における頚椎角度は、体軸（起立姿勢における体中心軸）に対して体前方向へ約１５°傾斜した角度（以下、この前傾角度を「理想頚椎角度」という）とされる。この理想頚椎角度においては、首部分の気道が適正に確保され、呼吸がスムーズに行われる。【０００３】  このような状況は、睡眠時においても同様であって、枕を敷いて仰臥した姿勢において頚椎角度が上記理想頚椎角度に近い角度にあれば、睡眠中の呼吸もスムーズであり、気道が狭められた状態での呼吸によって発生する鼾も発生しにくく、安楽感のある良好な睡眠状態が得られ、延いては健康増進が図られることになる。即ち、睡眠時において理想頚椎角度が確保されるためには、枕によって頚骨部を支えて頭部を床面から適正状態に持上げて理想頚椎角度を得ることが必要であり、そのためには枕の高さが適正であることが要求されるものである。【０００４】  ところで、枕は、頭部の重さで変形してその高さが変化するものの、基本的には、枕高さは当該枕に固有の高さで保持されるものとみることができる。一方、人の理想頚椎角度は、その人の体格、寝姿勢とか寝床の硬軟等の条件によって異なるものである。【０００５】  従って、その人に固有の理想頚椎角度が得られるような枕を選択することは困難であり、このような背景から、高さを調整を可能とした枕が種々提案されている（特許文献１〜特許文献５  参照）。【０００６】  特許文献１に示される枕は、その裏面側に配置されるベース体を複数備え、該ベース体の配置数を増減変更することで、枕高さを変更できるようにしたものである。【０００７】  特許文献２に示される枕は、枕の表面を形成するクッション層の内部に弾性材で袋状に形成された芯材を配置し、該芯材内への空気の注入排出によってこれを膨張あるいは収縮させて枕高さを変更するようにしたものである。【０００８】  特許文献３に示される枕は、クッション部の下側に、枕にかかる重さに対応して機械的に昇降変位する調整機構を配置し、該調整機構の作動によって枕高さが変更設定されるようにしたものである。【０００９】  特許文献４に示される枕は、枕の両端部に縛りベルトを設け、該ベルトを縛ったり緩めたりすることで枕高さを調整するとか、枕に薄肉部を付設し、該薄肉部を枕の上面に折り重ねることで高さ調整を行うようにしたものである。【００１０】  特許文献５に示される枕は、クッション材を充填した三個の収容袋を連設して枕を構成し、これら三個の収容袋を適宜折り重ねることで枕高さを調整するようにしたものである。
【先行技術文献】
【特許文献】
【００１１】
【特許文献１】  特開２００７−７４３２号公報
【特許文献２】  特開２００４−８９５９５号公報
【特許文献３】  特開２００７−９８１５３号公報
【特許文献４】  特開２００７−６８９３９号公報
【特許文献５】  特開平１１−１１３７０６号公報
【発明の概要】
【発明が解決しようとする課題】
【００１２】  ところが、上掲の特許文献１〜５に示された枕には、それぞれ以下のような問題がある。【００１３】  特許文献１に示される枕では、枕高さの変更時にはカバーを開いてベース体を出し入れする必要があることから、枕高さの調整作業が煩雑で且つ迅速に行えないなど、使用上の利便性という点において問題がある。【００１４】  特許文献２に示される枕は、枕高さの調整のために、芯材を設けるとともに、該芯材への空気の注入排出機構が必要であるなど、その構造が複雑で製造コストが高くなるという問題がある。【００１５】  特許文献３に示される枕では、枕高さの調整のために上記調整機構を備えることから、その構造が複雑で製造コストが高くなるという問題がある。【００１６】  特許文献４に示される枕では、枕高さの調整に際して、上記縛りベルトの操作が必要であるとか、上記薄肉部の折り重ね操作が必要であって、その使用上の利便性が低劣なものとなる。【００１７】  特許文献５に示される枕では、三個の収容袋を適宜折り重ねることで枕高さを調整するものであることから、その形体が大きなものとなり、特に、使用しない収容袋が存在する場合には、この使用しない収容袋の存在によって枕の設置場所が制約を受けることも考えられ、使用上の利便性という点において問題がある。【００１８】  そこで本願発明では、簡単且つ安価な構成で高さ調整を可能とした枕を提供することを目的としてなされたものである。
【課題を解決するための手段】
【００１９】  本願発明ではかかる課題を解決するための具体的手段として次のような構成を採用している。【００２０】  本願の第１の発明では、略三角柱状の外観形体をもつ枕本体１を備えて構成される枕において、上記枕本体１を、その三つの稜線部をその軸方向視において弧状面に形成して受部１１，１２，１３とするとともに、上記各受部１１，１２，１３の、該各受部１１，１２，１３がそれぞれ対向する各平面部１４，１５，１６からの高さを相互に異ならせた構成としたことを特徴としている。【００２１】  本願の第２の発明では、上記第１の発明に係る枕において、上記枕本体１を弾性材で一体的に形成したことを特徴としている。【００２２】  本願の第３の発明では、上記第１の発明に係る枕において、上記枕本体１を、通気性を有する面形成材９でなる中空構造としたことを特徴としている。【００２３】  本願の第４の発明では、上記第３の発明に係る枕において、上記枕本体１の中空部２内に、炭材又は／及び芳香材３の充填体５を装脱可能に収納したことを特徴としている。【００２４】  本願の第５の発明では、上記第１、第３又は第４の発明に係る枕において、上記枕本体１の周面部１ａにクッション材７を設けたことを特徴としている。
【発明の効果】
【００２５】  本願発明では次のような効果が得られる。【００２６】  （ａ）本願の第１の発明に係る枕
（ａ−１）  略三角柱状の外観形体をもつ上記枕本体１の三つの稜線部をその軸方向視において弧状面に形成して受部１１，１２，１３とするとともに、該各受部１１，１２，１３の、該各受部１１，１２，１３がそれぞれ対向する各平面部１４，１５，１６からの高さを相互に異ならせた構成としているので、上記枕本体１においては、上記各平面部１４，１５，１６のうちの何れかの平面部が床面に当接した載置状態のとき、この床面に当接した平面部に対向する受部が該枕本体１の最上部に位置してその載置状態における枕高さとなる。従って、上記枕本体１をその軸芯回りに回転させて、床面への当接部位を上記各平面部１４，１５，１６の間で変化させることで、最上部位置が上記各受部１１，１２，１３の間で変化し、これによって、枕高さが三段階に変化することになる。【００２７】  このため、この発明に係る枕においては、その使用に際し、上記枕本体１を適宜回転させて最上部に位置する受部を選択することで、三段階の枕高さの中から、自分の体格とか床面の硬軟（即ち、床面の沈み込み状態）等に対応した理想頚椎角度が得られるような枕高さを簡単な操作によって容易に変更設定することができ、その結果、上記枕を使用して休息あるいは睡眠することで、適正な気道の確保によってスムーズな呼吸が実現され、鼾の発生が可及的に防止され、安楽な休息感あるいは睡眠感が得られ、延いては健康促進が図られる。【００２８】  （ａ−２）  また、上記枕本体１が、略三角柱状の外観形体をもち、且つ上記各受部１１，１２，１３の高さが相互に異なった構成であることから、上記各平面部１４，１５，１６の何れを床面に当接させた状態でも、床面に当接した平面部を挟んでその両側にそれぞれ連続する他の二つの平面部の傾斜角度は異なることになる。そして、これら他の平面部も、枕を使用して仰臥した人の頚椎部から肩部にかけての部位に接してこれを支持する機能を発揮し得るものである。このため、枕の使用に際して、上述のように床面に当接させる平面部を選択して枕高さを調整するのに加えて、上記枕本体１を床面の面方向に沿って１８０度回転させて、上記他の二つの平面部の何れを人の肩部３２側に位置させるかを選択することで、頚椎角度をさらに理想頚椎角度に近づけることができ、上記（ａ−１）に記載の効果がより一層促進される。【００２９】  （ａ−３）  さらに、この発明の枕においては、枕の形体を工夫することで枕高さの変更調整を可能としたものであって、従来の枕のように枕高さの調整に特有の機構を備える場合に比して、構造が簡単で低コスト化が図れる。また、軽量であることから、枕の取り扱い性が良好となり、特に枕の使用者が高齢者とか身体障害者等である場合にはその効果はより顕著となる。【００３０】  （ｂ）本願の第２の発明に係る枕
この発明に係る枕によれば、上記（ａ）に記載の効果に加えて以下のような特有の効果が得られる。即ち、この発明では、上記枕本体１を弾性材で一体的に形成しているので、その製作が容易であり、それだけ枕をより安価に提供できる。【００３１】  （ｃ）本願の第３の発明に係る枕
この発明に係る枕によれば、上記（ａ）に記載の効果に加えて以下のような特有の効果が得られる。即ち、この発明では、上記枕本体１を、通気性を有する面形成材９でなる中空構造としているので、枕の放熱性が良好であり、特に夏場の使用においては頭部に汗をかくことも少なく、また、通気性によって枕に体臭等の臭気が滞留するのは防止されることから、例えば、寝たきり老人のような長時間に亘って枕を使用し続けるような場合にはその効果が顕著なものとなる。【００３２】  （ｄ）本願の第４の発明に係る枕
この発明に係る枕によれば、上記（ｃ）に記載の効果に加えて以下のような特有の効果が得られる。即ち、この発明では、上記枕本体１の中空部２内に、炭材又は／及び芳香材３の充填体５を装脱可能に収納しているので、上記炭材の脱臭作用、調湿作用及び抗菌作用等によって枕及びその周辺の衛生環境が改善され、また上記芳香材の吸引による癒し効果によってより安静な睡眠を得ることができ、特に加齢臭等の臭気が気になるような使用状態において好適である。さらに、上記充填体５が上記枕本体１の中空部２に対して装脱可能とされていることで、上記炭材とか芳香材の機能低下時には容易にこれを新しいものに交換することができ、上記効果を長期間持続することが可能となる。【００３３】  （ｅ）本願の第５の発明に係る枕
この発明に係る枕によれば、上記（ａ）、（ｃ）（ｄ）に記載の効果に加えて以下のような特有の効果が得られる。即ち、この発明では、上記枕本体１の周面部１ａにクッション材７を設けているので、上記枕本体１が弾性を有する場合には、これに上記クッション材７の弾性が加わり、ソフトな枕使用感が得られ、また上記枕本体１の弾性が低いような場合でも上記クッション材７の弾性によってソフトな枕使用感が得られ、これら何れの場合においても、ソフトな使用感によって枕の商品価値が向上する。
【図面の簡単な説明】
【００３４】
【図１】  本願発明の第１の実施例に係る枕の斜視図である。
【図２】  図１に示した枕本体の構造を示す正面図である。
【図３】  図２のＩＩＩ−ＩＩＩ矢視図である。
【図４】  枕高さの比較図である。
【図５】  枕の第１の使用形態の説明図である。
【図６】  枕の第２の使用形態の説明図である。
【図７】  枕の第３の使用形態の説明図である。
【図８】  第１の実施例に係る枕の変形例を示す斜視図である。
【図９】  本願発明の第２の実施例に係る枕の斜視図である。
【図１０】  本願発明の第３の実施例に係る枕の斜視図である。
【発明を実施するための形態】
【実施例１】
【００３５】  図１〜図３には、本願発明の実施例１に係る枕Ｚを示している。この枕Ｚは、次述の枕本体１と充填体５を備えて構成される。【００３６】  上記枕本体１は、略三角柱状の外観形体をもつ中空構造体で構成され、その周面部１ａは次述の面形成材９によって、側面部１ｂは次述の側面材１７によって、それぞれ構成されている。【００３７】  上記面形成材９は、略三角筒状に巻回成形できる弾性をもつことが要求され、例えば、籐材、竹材とか適度の弾性をもつ樹脂製の紐材あるいはパイプ材等を素材とし、これを格子状あるいは網状に編んで構成されるものとか、木製又は樹脂製の板材に多数の孔を形成した多孔板等が最適である。【００３８】  上記側面材１７は、例えば、木材板あるいは樹脂板で構成される。そして、この側面材１７の外径形状は、図１及び図３に示すように、三つの頂点部１７ａ，１７ｂ，１７ｃをそれぞれ弧状面に形成した略三角形状とされている。また、上記各頂点部１７ａ，１７ｂ，１７ｃの、該各頂点部１７ａ，１７ｂ，１７ｃがそれぞれ対向する三つの直線部１７ｄ、１７ｅ、１７ｆからの高さ寸法（即ち、各直線部１７ｄ、１７ｅ、１７ｆからその垂線方向への距離）を、順次所定寸法だけ異ならせている（図４参照）。従って、上記側面材１７の上記各直線部１７ｄ、１７ｅ、１７ｆ相互間の挟角、及び特定の直線部に対する他の直線部の傾斜角もそれぞれ異なったものとなっている。また、上記側面材１７には、所定大きさの開口１８が設けられている。【００３９】  尚、上記側面材１７は、この実施例のように板材によって形成されるものに限定されるものではなく、要は、上述の如き略三角形状が確保されるものであれば足り、その構造とか材質には影響されるものではなく、例えば、図８に示すように、上記枕本体１の側面部１ｂを、籐材とか竹材等を略三角環状に巻回形成してなる大小一対の環状体２３，２４間を、籐材とか竹材でなる紐材２５によって順次巻回連結して板状に形成し、これを上記側面材１７とすることもできる。【００４０】  上記側面材１７を左右一対用意し、これらを同軸上に対向させた状態で、これら両者間を、該側面材１７の外周近傍に該外周に沿って所定間隔で配置した多数の小径棒状の連結材６によって連結してこれらを一体化する。このように一体化された上記左右一対の側面材１７，１７間に跨って、該各側面材１７，１７の外周を覆うようにして（従って、上記各連結材６の外側を覆うようにして）上記面形成材９を取付けて固定し、これら側面材１７，１７と上記面形成材９を一体化することで上記枕本体１が得られる。尚、この場合、上記各連結材６の外周と上記面形成材９の内面との間には小間隙が設けられ、上記面形成材９が、例えば、必要との頭部の重量によって上記枕本体１の内方へ撓曲変形したとき、該面形成材９の最大変形量は上記連結材６によって規制され、結果として、上記面形成材９の外周形状は上記側面材１７の外周形状に略沿った状態に維持されるようになっている。【００４１】  このように構成された上記枕本体１においては、上記面形成材９が上記側面材１７の外周面に沿って巻回固定されていることで、該面形成材９の外面形状、即ち、上記枕本体１の周面部１ａの外面形状は、上記側���材１７の外周形状に対応した略三角形状とされるとともに、上記側面材１７の各頂点部１７ａ，１７ｂ，１７ｃと上記各直線部１７ｄ、１７ｅ、１７ｆの相対関係もそのまま上記面形成材９の形状設定に反映される。この結果、上記枕本体１は、相互に高さの異なる三つの受部、即ち、第１受部１１と第２受部１２及び第３受部１３と、これら各受部１１〜１３に対向する三つの平面部、即ち、第１平面部１４と第２平面部１５及び第３平面部１６を備えることになる。【００４２】  従って、このように構成された上記枕本体１は、これをその軸芯回りに回転させて、上記各平面部１４〜１６の何れを床面に当接させるかを選択することで、異なる三つの使用形態を得ることができることになる。【００４３】  即ち、図４の左端側に図示するように、上記第１平面部１４を床面に当接させた「第１の使用形態」では、上記第１受部１１が上記枕本体１の最上部に位置し、その枕高さは最大高さ「Ｈ１」とされる。【００４４】  図４の中央に図示するように、上記第２平面部１５を床面に当接させた「第２の使用形態」では、上記第２受部１２が上記枕本体１の最上部に位置し、その枕高さは中間高さ「Ｈ２」とされる。【００４５】  さらに、図４の右端に図示するように、上記第３平面部１６を床面に当接させた「第３の使用形態」では、上記第３受部１３が上記枕本体１の最上部に位置し、その枕高さは最小高さ「Ｈ３」とされる。【００４６】  このように、この実施例の枕Ｚにおいては、該枕Ｚをその軸心回りに回転させることで枕高さを三段階に変更設定できることから、例えば、該枕Ｚを使用する者は、これら三段階の枕高さの中から、自分の体格とか床面の硬軟（即ち、床面の沈み込み状態）等に対応した理想頚椎角度が得られるような枕高さを、該枕Ｚを回転させるという極めて簡単な操作によって容易に得ることができる。これによって、上記枕Ｚを使用して休息あるいは睡眠をとる人は、適正な気道の確保によってスムーズな呼吸が実現されることから、鼾の発生が可及的に防止され、安楽な休息感あるいは睡眠感が得られ、延いては、上記人の健康促進が図られることになる。【００４７】  この枕Ｚの具体的な使用状態を図５〜図７に示している。【００４８】  図５には、上記枕Ｚの第１の使用形態での使用状態を示している。【００４９】  図５（イ）は、上記枕Ｚを第１の使用形態に設定し、該枕Ｚの第３平面部１６側から第２平面部１５側へ向けて人３０が仰臥し、上記第１受部１１に後頭骨部３１ａから頚椎部３４にかけての部分を預けて休んだ状態である。この状態では、上記第１受部１１の枕高さが最大高さ「Ｈ１」に設定されていることから、頚椎角度は最大となっている。また、上記第１受部１１から人３０側へ向けて連続する上記第３平面部１６の傾斜角が小さいことから、人３０はその後頭骨部３１ａから頚推部３４にかけての部分が上記第１受部１１によって支持されるのに加えて、上記第３平面部１６によってその頚椎部３４から肩部３２にかけての部分が適度に支持され、より快適な使用感が得られることになる。【００５０】  図５（ロ）は、図５（イ）とは逆に、第１の使用形態に設定された上記枕Ｚに対して、該枕Ｚの第２平面部１５側から第３平面部１６側へ向けて���３０が仰臥し、上記第１受部１１に後頭骨部３１ａから頚椎部３４にかけての部分を預けて休んだ状態である。この状態では、上記第１受部１１から人３０側へ向けて連続する上記第２平面部１５の傾斜角が大きいことから、人３０はその後頭骨部３１ａから頚椎部３４にかけての部分が上記第１受部１１によって支持されるが、上記第２平面部１５によってその頚椎部３４から肩部３２にかけての部分が支持される度合いが少なく、従って、この使用状態は特に頚椎部３４部分の支持を好む場合に好適なものである。【００５１】  図６には、上記枕Ｚの第２の使用形態での使用状態を示している。【００５２】  図６（イ）は、上記枕Ｚを第２の使用形態に設定し、該枕Ｚの第１平面部１４側から第３平面部１６側へ向けて人３０が仰臥し、上記第２受部１２に後頭骨部３１ａから頚椎部３４にかけての部分を預けて休んだ状態である。この状態では、上記第２受部１２の枕高さが中間高さ「Ｈ２」に設定されていることから、頚椎角度は上記第１の使用形態におけるそれよりも小さい中間角度となっている。また、上記第２受部１２から人３０側へ向けて連続する上記第１平面部１４の傾斜角が大きいことから、人３０はその後頭骨部３１ａから頚椎部３４にかけての部分は上記第２受部１２によって支持されるが、上記第１平面部１４によってその頚椎部３４から肩部３２にかけての部分が支持される度合いは少なく、従って、この使用状態は特に頚椎部３４部分の支持を好む場合に好適なものである。【００５３】  図６（ロ）は、図６（イ）とは逆に、第２の使用形態に設定された上記枕Ｚに対して、該枕Ｚの第３平面部１６側から第１平面部１４側へ向けて人３０が仰臥し、上記第２受部１２に後頭骨部３１ａから頚椎部３４にかけての部分を預けて休んだ状態である。この状態では、上記第２受部１２から人３０側へ向けて連続する上記第３平面部１６の傾斜角が小さいことから、人３０はその後頭骨部３１ａから頚椎部３４にかけての部分が上記第２受部１２によって支持されるのに加えて、上記第３平面部１６によってその頚椎部３４から肩部３２にかけての部分が適度に支持され、より快適な使用感が得られることになる。【００５４】  図７には、上記枕Ｚの第３の使用形態での使用状態を示している。【００５５】  図７（イ）は、上記枕Ｚを第３の使用形態に設定し、該枕Ｚの第２平面部１５側から第１平面部１４側へ向けて人３０が仰臥し、上記第３受部１３に後頭骨部３１ａから頚椎部３４にかけての部分を預けて休んだ状態である。この状態では、上記第３受部１３の枕高さが最小高さ「Ｈ３」に設定されていることから、頚椎角度は最小となっている。また、上記第３受部１３から人３０側へ向けて連続する上記第２平面部１５の傾斜角が小さいことから、人３０はその後頭骨部３１ａから頚椎部３４にかけての部分が上記第３受部１３によって支持されるのに加えて、上記第２平面部１５によってその頚椎部３４から肩部３２にかけての部分が適度に支持され、より快適な使用感が得られることになる。【００５６】  図７（ロ）は、図７（イ）とは逆に、第３の使用形態に設定された上記枕Ｚに対して、該枕Ｚの第１平面部１４側から第２平面部１５側へ向けて人３０が仰臥し、上記第３受部���３に後頭骨部３１ａから頚椎部３４にかけての部分を預けて休んだ状態である。この状態では、上記第３受部１３から人３０側へ向けて連続する上記第１平面部１４の傾斜角が大きいことから、人３０はその後頭骨部３１ａから頚椎部３４にかけての部分は上記第３受部１３によって支持されるが、上記第１平面部１４によってその頚椎部３４から肩部３２にかけての部分が支持される度合いが少なく、従って、この使用状態は特に頚椎部３４部分の支持を好む場合に好適なものである。【００５７】  このように、この実施例の枕Ｚにおいては、該枕Ｚをその軸芯回りに適宜回転させて枕高さの異なる三つの使用形態を簡単な操作で容易に得ることができると同時に、上記枕本体１の各受部１１〜１３間に、これら各受部１１〜１３に連続する上記各平面部１４〜１６を設けたことで、該枕Ｚに対する仰臥方向の選択により、さらに多様な使用形態を得ることができるものである。【００５８】  また、上記枕Ｚにおいては、該枕Ｚの形体を工夫することで枕高さの変更調整を可能としたものであって、従来の枕のように枕高さの調整に特有の機構を備える場合に比して、構造が簡単で低コスト化が図れるとともに、軽量であることから、枕の取り扱い性が良好となり、特に枕の使用者が高齢者とか身体障害者等である場合にはその効果はより顕著となる。【００５９】  さらに、上記枕Ｚでは、上記枕本体１を、通気性を有する面形成材９でなる中空構造としているので、該枕Ｚの放熱性が良好であり、特に夏場の使用においては頭部に汗をかくことも少なく、また、通気性によって枕に体臭等の臭気が滞留するのは防止されることから、例えば、寝たきり老人のような長時間に亘って枕を使用し続ける場合には、その効果は顕著なものとなる。【００６０】  一方、上記枕Ｚは、上述のように上記枕本体１のみを備えた構成のままで使用できるものであるが、この実施例では、さらに上記枕本体１の中空部２内に、次述の充填体５を装脱可能に収容するようにしている。【００６１】  この充填体５は、直筒状の袋４内に、炭材（例えば、竹炭又は木炭）と芳香材（例えば、芳香性の木材チップとか芳香剤）３を充填して構成される。そして、この充填体５は、上記側面材１７に設けた上記開口１８を通して上記中空部２内に所定本数が収納される（図２、図３参照）。【００６２】  このように、上記枕本体１の中空部２内に上記充填体５を収納すれば、上記炭材の脱臭作用、調湿作用及び抗菌作用等によって枕Ｚ及びその周辺の衛生環境が改善され、また上記芳香材の吸引による癒し効果によってより安静な睡眠を得ることができ、特に、加齢臭等の臭気が気になるような使用状態において好適である。さらに、上記充填体５が上記枕本体１の中空部２に対して装脱可能とされていることで、上記炭材とか芳香材の機能低下時には容易にこれを新しいものに交換することができ、上記効果を長期間持続することが可能となる。
【実施例２】
【００６３】  図９には、本願発明の実施例２に係る枕Ｚを示している。この枕Ｚは、上記実施例１に係る枕Ｚを基本形態とするものであって、上記実施例１に係る枕Ｚにおいては上記枕本体１をそのまま使用するようにしていたのに対して、該枕本体１の外側を布団状のクッション材７によって覆った状態で使用するようにしたものである。係る構成によって、上記実施例１に係る枕Ｚにおける作用効果と同様の作用効果が得られるのに加えて、上記クッション材７のクッション性によってソフトな枕使用感が得られ、該枕Ｚの商品価値の更なる向上が期待できるものである。【００６４】  尚、この実施例では、上記クッション材７を、上記枕本体１の周面部１ａを覆い得るような大きさの袋２１内に、例えば、竹繊維を綿状に加工した竹綿とか木綿等の自然素材からなる綿材を充填して構成している。係る構成によれば、上記充填体５との相乗効果によってより高い脱臭効果とか抗菌効果等が得られ、より健康志向の高い枕Ｚを得ることができる。【００６５】  尚、上記以外の構成及び作用効果は上記実施例１に係る枕Ｚの場合と同様であるので、該実施例１の該当説明を援用し、ここでの説明を省略する。
【実施例３】
【００６６】  図１０には、本願発明の実施例３に係る枕Ｚを示している。この枕Ｚは、上記実施例１及び実施例２に係る枕Ｚと同様の外観形体を有するものであるが、上記実施例１及び実施例２に係る枕Ｚでは上記枕本体１を中空構造としていたのに対して、この実施例の枕Ｚでは、上記枕本体１を適宜の弾性材で一体形成したものである。【００６７】  従って、この枕本体１の形状に関わる作用効果は上記実施例１及び実施例２に係る枕Ｚの場合と同様であるが、これに加えて、上記枕本体１の製作が容易であることから枕Ｚをより安価に提供できるという利点がある。【００６８】  ここで、上記枕本体１を構成する弾性材としては、弾性変形しても上記枕本体１の略三角柱状という基本形態を略維持できる素材であれば足り、例えば、木材チップとか竹綿をブロック状に加圧成形して適度の弾性をもたせた加圧成形材とか、発泡樹脂材が考えられる。特に、上記加圧成形材を用いて上記枕本体１を形成する場合には、例えば、図１０に鎖線図示するように、該枕本体１に、空隙部２６とか凹溝２７あるいは凹穴を適宜設けることで、該枕本体１全体の弾性を調整することもでき、これによって形状維持効果と弾性付与効果を両立させることも可能となる。【００６９】  さらに、上記枕本体１内に空隙部を設けた場合には、この空隙部内に上記充填体５を収納配置して脱臭効果とか調湿効果等を付与し、上記枕Ｚの付加価値を更に高めることも可能である。【００７０】  尚、上記以外の構成及び作用効果は上記実施例１に係る枕Ｚの場合と同様であるので、該実施例１の該当説明を援用し、ここでの説明を省略する。
【符号の説明】
【００７１】  １      ・・枕本体
２      ・・中空部
３      ・・炭材（芳香材）
４      ・・袋
５      ・・充填体
６      ・・連結材
７      ・・クッション材
９      ・・面形成材
１１    ・・第１受部
１２    ・・第２受部
１３    ・・第３受部
１４    ・・第１平面部
１５    ・・第２平面部
１６    ・・第３平面部
１７    ・・側面材
１８    ・・開口
２１    ・・袋
２２    ・・竹綿
３０    ・・人
３１    ・・頭部
３１ａ  ・・後頭骨部
３２    ・・肩部
３３    ・・背部
３４    ・・頚部
Ｚ      ・・枕
【図１】
2010167237.tif 000003
【図２】
2010167237.tif 000004
【図３】
2010167237.tif 000005
【図４】
2010167237.tif 000006
【図５】
2010167237.tif 000007
【図６】
2010167237.tif 000008
【図７】
2010167237.tif 000009
【図８】
2010167237.tif 000010
【図９】
2010167237.tif 000011
【図１０】
2010167237.tif 000012